(57)【要約】      （修正有）【課題】衝撃吸収材料の形成時にゴルフクラブヘッドから空気を効率的に排出できる空気排出構造を有するゴルフクラブヘッドを提供する。【解決手段】本体１０は、前部と、後部と、チェンバー１１と、凹所とを有する。チェンバーは、本体の前部に形成され、衝撃吸収材料１８を収容する。チェンバーは、上縁部と、本体の前部に形成された開口と、少なくとも１つの空気排出用通路１７とを有する。空気排出用通路は、チェンバーの上縁部に形成され、空気排出用通路を経てチェンバー内の空気を排出できるが、チェンバー内の前記衝撃吸収材料を排出できない程度に浅い深さを有する。凹所は、本体の後部に形成され、底部と、該底部に形成され、チェンバーと連通する注入孔とを有する。打球板１２は、本体の前部に取り付けられ、チェンバーの開口を閉鎖している。【選択図】図１
0003135034.tif 000002
【実用新案登録請求の範囲】
【請求項１】
前部と、後部と、前記前部に形成され、衝撃吸収材料を収容するチェンバーと、前記後部に形成された凹所とを有する本体と、
該本体の前記前部に取り付けられた打球板とを含み、
前記チェンバーは、上縁部と、前記本体の前記前部に形成された開口と、前記上縁部に形成された少なくとも１つの空気排出用通路とを有し、該空気排出用通路は、該空気排出用通路を経て前記チェンバー内の空気を排出することができるが前記チェンバー内の前記衝撃吸収材料を排出することができない程度に浅い深さを有し、前記凹所は、底部と、該底部に形成され、前記チェンバーと連通する注入孔とを有し、前記打球板は前記本体の前記チェンバーの前記開口を閉鎖している、ゴルフクラブヘッド。
【請求項２】
前記本体は、前記チェンバーの上方に形成された、前記本体の前記前部及び前記後部を経て伸びる中空部を有し、前記打球板は、前記本体の前記前部で前記中空部へ伸び、かつ該中空部を覆っている、請求項１に記載のゴルフクラブヘッド。
【請求項３】
前記チェンバーは、それぞれが該チェンバーの前記上縁部の端部分に形成され、前記打球板に隣接する２つの空気排出用通路を有する、請求項２に記載のゴルフクラブヘッド。
【請求項４】
各空気排出用通路は、深さが0.1mmないし0.008mmであり、幅が5mmないし8mmである、請求項３に記載のゴルフクラブヘッド。
【請求項５】
前記本体の前記凹所にカバーが取り付けられ、該カバーは前記注入孔を覆っている、請求項４に記載のゴルフクラブヘッド。
【請求項６】
前記凹所は、それぞれが該凹所の前記底部に形成され、前記チェンバーと連通する２つの空気排出用孔を有する、請求項５に記載のゴルフクラブヘッド。
【請求項７】
前記空気排出用通路は、深さが0.1mmないし0.008mmであり、幅が5mmないし8mmである、請求項１に記載のゴルフクラブヘッド。
【請求項８】
前記本体の前記凹所にカバーが取り付けられ、該カバーは前記注入孔を覆っている、請求項１に記載のゴルフクラブヘッド。
【請求項９】
前記凹所は、それぞれが該凹所の前記底部に形成され、前記チェンバーと連通する２つの空気排出用孔を有する、請求項８に記載のゴルフクラブヘッド。
【考案の詳細な説明】
【技術分野】
【０００１】
本考案は、ゴルフクラブヘッドに関し、より詳細には、衝撃吸収材料の形成時にゴルフクラブヘッドから空気を排出するための空気排出構造を有するゴルフクラブヘッドに関する。
【背景技術】
【０００２】
従来のゴルフクラブヘッドは、衝撃吸収効果を高めるため、中空であり、嵌め込み又は注入により衝撃吸収材料が内蔵されている。
【０００３】
従来、前記ゴルフクラブヘッドに前記衝撃吸収材料を取り付けるために２つの方法が用いられている。一方の方法は、前記ゴルフクラブヘッドの本体のチェンバーより大きさが大きい鋳型を用いて前記衝撃吸収材料を所望の形状に成型することを含む。前記衝撃吸収材料の成型後、前記衝撃吸収材料を前記ゴルフクラブヘッドの前記本体の前記チェンバーに嵌め込み、該チェンバーを閉鎖するために前記本体に溶接により打球板を取り付ける。
【０００４】
前記本体に前記打球板を溶接により取り付けるため、前記衝撃吸収材料は溶接中に高温により損傷を受けやすい。また、前記衝撃吸収材料を成型するための鋳型が必要であり、衝撃吸収材料を有するゴルフクラブヘッドの製造コストが高くつく。前記衝撃吸収材料を前記チェンバーの内面に完全に接触させるため、成型された前記衝撃吸収材料の大きさは、前記チェンバーの大きさより大きい。このため、前記衝撃吸収材料を前記チェンバーに嵌め込むために大きな力が必要とされ、前記衝撃吸収材料は、圧縮され、変形する。このため、前記衝撃吸収材料による衝撃吸収効果が低減する。
【０００５】
他方の方法は、ゴルフクラブヘッドの本体に注入孔を形成すること、前記本体のチェンバーを閉鎖するために前記本体に打球板を取り付けることを含む。前記注入孔を経て接着剤と衝撃吸収材料とが順次に注入され、前記衝撃吸収材料は、熱せられ、前記チェンバーの形状に応じた形状に形成される。
【０００６】
前記衝撃吸収材料の形成時に前記チェンバー内の空気を前記チェンバーから効率的に排出することができない。このため、前記衝撃吸収材料内に泡が発生し、衝撃吸収効果が低減する。前記接着剤及び前記衝撃吸収材料の注入前、前記チェンバーを真空にするため、真空処理がなされる。このことは、衝撃吸収材料を有するゴルフクラブヘッドの製造コストの増大を招く。
【０００７】
図５、６に示すように、前記した問題点を解決する従来のゴルフクラブヘッドは、本体２０と、打球板２５とを含む。本体２０は、前部と、後部２１とを有する。本体２０にチェンバー２４が形成され、チェンバー２４は、本体２０の前記前部に開口を有する。本体２０の後部２１に、注入孔２２と、２つの空気排出用孔２３とが形成され、注入孔２２及び空気排出用孔２３のそれぞれはチェンバー２４と連通している。本体２０は、チェンバー２４の上方に形成された中空部２０１を有する。打球板２５は、前記本体の前記前部に取り付けられ、該前部でチェンバー２４の前記開口と中空部２０１とを閉鎖している。打球板２５は打球面２５１を有する。チェンバー２４内に衝撃吸収材料２６を形成するため、衝撃吸収材料２６は、注入孔２２を経てチェンバー２４内に注入され、熱せられる。空気排出用孔２３が配置されているため、泡を発生させないようにチェンバー２４内の空気を効率的に排出することができる。衝撃吸収材料２６の形成後、注入孔２２及び空気排出用孔２３は塞がれる。
【０００８】
注入孔２２及び空気排出用孔２３が塞がれた後、本体２０の表面を平坦かつ滑らかにするために研磨処理が必要とされる。このため、衝撃吸収材料２６を有するゴルフクラブヘッドの製造工程は複雑である。
【考案の開示】
【考案が解決しようとする課題】
【０００９】
本考案は、前記した問題点を改善するゴルフクラブヘッドを提供する。本考案の目的は、衝撃吸収材料の形成時にゴルフクラブヘッドから空気を効率的に排出できる空気排出構造を有するゴルフクラブヘッドを提供することである。
【課題を解決するための手段】
【００１０】
本考案に係るゴルフクラブヘッドは、本体と、打球板とを含む。前記本体は、前部と、後部と、チェンバーと、凹所とを有する。前記チェンバーは、前記前部に形成され、衝撃吸収材料を収容する。前記チェンバーは、上縁部と、前記本体の前記前部に形成された開口と、少なくとも１つの空気排出用通路とを有する。前記空気排出用通路は、前記上縁部に形成され、前記空気排出用通路を経て前記チェンバー内の空気を排出できるが前記チェンバー内の前記衝撃吸収材料を排出できない程度に浅い深さを有する。前記凹所は、前記本体の前記後部に形成され、底部と、該底部に形成され、前記チェンバーと連通する注入孔とを有する。前記打球板は、前記本体の前記前部に取り付けられ、前記チェンバーの前記開口を閉鎖している。
【００１１】
本考案の他の目的、利点及び新規な特徴は、添付の図面に関する以下の詳細な説明からより明らかになる。
【考案を実施するための最良の形態】
【００１２】
図１ないし４に示すように、ゴルフクラブヘッドは、本体１０と、打球板１２とを含む。本体１０は、前部と、後部１３と、チェンバー１１と、凹所１４とを有する。チェンバー１１は、前記前部に形成され、衝撃吸収材料１８を収容し、上縁部と、開口と、少なくとも１つの空気排出用通路１７とを有する。前記開口は本体１０の前記前部に形成されている。空気排出用通路１７は、チェンバー１１の前記上縁部に形成され、好ましくは、２つの空気排出用通路１７のそれぞれがチェンバー１１の前記上縁部の端部分に形成されている。各空気排出用通路１７は、該空気排出用通路を経てチェンバー１１内の空気を排出できるがチェンバー１１内の衝撃吸収材料１８を排出できない程度に浅い深さを有する。好ましくは、各空気排出用通路１７は、0.1mmないし0.008mmの深さと、5mmないし8mmの幅とを有する。
【００１３】
凹所１４は、本体１０の後部１３に形成され、底部と、注入孔１５と、２つの空気排出用孔１６とを有する。注入孔１５は、凹所１４の前記底部に形成され、チェンバー１１と連通している。空気排出用孔１６は、凹所１４の前記底部に形成され、チェンバー１１と連通している。
【００１４】
本体１０は、チェンバー１１の上方に形成された、本体１０の前記前部及び後部１３を経て伸びる中空部１０１を有する。
【００１５】
打球板１２は、本体１０の前記前部に取り付けられ、中空部１０１へ伸び、本体１０の前記前部でチェンバー１１の前記開口と中空部１０１とを閉鎖している。打球板１２は打球面１２１を有する。
【００１６】
凹所１４にカバー１９が取り付けられ、該カバーは注入孔１５と空気排出用孔１６とを覆っている。カバー１９は、前記ゴルフクラブヘッドの外観を良くするためにマーク、シンボル又はフィギュアが付されたものとすることができる。
【００１７】
前記ゴルフクラブヘッドを製造するとき、チェンバー１１の前記開口を閉鎖するため、本体１０の前記前部に打球板１２を溶接により取り付ける。その後、衝撃吸収材料１８を、注入孔１５を経てチェンバー１１に注入し、該チェンバーの形状に応じた形状に膨張させるために熱する。衝撃吸収材料１８を形成している間、衝撃吸収材料１８内に泡を発生させないように、チェンバー１１内の空気を空気排出用通路１７と空気排出用孔１６とから効率的に排出することができる。これにより、衝撃吸収材料１８による衝撃吸収効果を高めることができる。衝撃吸収材料１８の形成後にカバー１９を凹所１４に取り付けて注入孔１５と空気排出用孔１６とを閉鎖する。このため、本体１０の研磨処理が不要である。このため、前記ゴルフクラブヘッドの製造工程を単純化することができる。カバー１９は、使用者のニーズに応じて、チェンバー１１内の衝撃吸収材料１８を見ることができるように透明なものとすることができる。
【図面の簡単な説明】
【００１８】
【図１】本考案に係るゴルフクラブヘッドの分解斜視図。
【図２】本考案に係るゴルフクラブヘッドの他の分解斜視図。
【図３】本考案に係るゴルフクラブヘッドの縦断面図。
【図４】本考案に係るゴルフクラブヘッドの斜視図。
【図５】従来のゴルフクラブヘッドの斜視図。
【図６】従来のゴルフクラブヘッドの縦断面図。
【符号の説明】
【００１９】
１０    本体
１１    チェンバー
１２    打球板
１３    後部
１４    凹所
１５    注入孔
１６    空気排出用孔
１７    空気排出用通路
１８    衝撃吸収材料
１９    カバー
１０１    中空部
１２１    打球面
【図１】
0003135034.tif 000003
【図２】
0003135034.tif 000004
【図３】
0003135034.tif 000005
【図４】
0003135034.tif 000006
【図５】
0003135034.tif 000007
【図６】
0003135034.tif 000008